(57)【要約】 【課題】安価なコストで緑化推進できる竪樋利用の緑化構造と緑化方法を提供することを目的とする。  【解決手段】竪樋１２の下部１２ａから上方に筒状に格子ネット１４を巻き付ける竪樋利用の緑化構造１１である。排水管カバー１５の構造は、本体部１６とカバー部１７から成る同心円形二重管が水平状のリング部１８で固着形成される。排水管カバー１５の本体部１６とカバー部１７とリング部１８で形成される上部の隙間が植物用の土壌溝１９として使用される。本体部１６における土壌溝１９近傍に一対の９０度フック形状の爪部Ｑを互いが内向くように備える。同様に、竪樋１２を支える控え金具２０の外側面に一対の９０度フック状の爪部Ｑが形成される。筒状の格子ネット１４は長手方向に切れ目１４ａを持ち、この切れ目１４ａの対向する一対の縁部１４ｂを控え金具２０と排水管カバー１５のそれぞれ一対の爪部Ｑに係止して取付ける。【選択図】  図１
2010051181.tif 000002
【特許請求の範囲】
【請求項１】
植物を這わせるために竪樋の下部から上方に筒状の格子ネットを巻き付ける竪樋利用の緑化構造。
【請求項２】
請求項１に記載の竪樋利用の緑化構造であって、前記竪樋の下部に排水管カバーを備え、この排水管カバーの外周に植物用の土壌溝が形成されることを特徴とする竪樋利用の緑化構造。
【請求項３】
請求項２に記載の竪樋利用の緑化構造であって、前記土壌溝に水抜き口を備えることを特徴とする竪樋利用の緑化構造。
【請求項４】
請求項１乃至請求項３のいずれか一項に記載の竪樋利用の緑化構造であって、前記筒状の格子ネットは長手方向に切れ目を持ち、この切れ目の対向する一対の縁部を係止する爪部を前記竪樋を支える控え金具と前記排水管カバーに備えることを特徴とする竪樋利用の緑化構造。
【請求項５】
植物を這わせるために竪樋の下端部から上方に筒状の格子ネットを巻き付ける一方、前記竪樋の下端部に備える排水管カバーの外周に植物用の土壌溝が形成され、前記筒状の格子ネットは長手方向に切れ目を持ち、この切れ目の対向する一対の縁部を係止する爪部を前記竪樋を支える控え金具と前記排水管カバーに備えることを特徴とする竪樋利用の緑化方法。
【発明の詳細な説明】
【技術分野】
【０００１】
本発明は緑化構造に関し、詳しくは、建物の部材を利用した緑化構造と緑化方法の技術に関する。
【背景技術】
【０００２】
従来、住宅における緑化構造と緑化方法として、庭に植物を植えたり室内で観葉植物を鑑賞したりして楽しむことができる。しかし、屋外においては庭のスペースによる制限等で緑化が推進されないという問題があった。この解決するための従来技術として特許文献１に掲載の内容が知られている。
【０００３】
図６に示すように、従来の緑化構造は家屋の南側の壁９にメッシュ型のつる植物のガイドＧ１を設置し、西側の壁９にワイヤー型のつる植物のガイドＧ２を設置している。そして、家屋の南西の角には縦型の貯水タンク１が配置され、貯水タンク１の上端を給水口とし、その給水口上方に呼び樋３の下端を配置し、呼び樋３の上端は軒樋２と連通して家屋の屋根Ｒからの雨水を軒樋２から呼び樋３を介して貯水タンク１に貯水する。貯水タンク１が満杯になると、オーバーフロー管４から庭に埋設した地下タンク５に貯水される。地下タンク５が満杯になると排水管６から排水溝等へ排水される。
【０００４】
この貯水タンク１からつる植物ＡＡに図示しない散水装置を経て灌水できるので、植物の育たない軒下においても安定した灌水が可能となり植物を生長させることができるようになる。つる植物ＡＡが成長してガイドＧ１、Ｇ２に絡まりながら成長して葉が繁茂することによって日差しを遮り日陰を作り、壁に直接日光が当たらず、風通しがよく涼しい空間を形成して室内の温度上昇を抑えることができる。
【特許文献１】特開２００４−２１９号公報
【発明の開示】
【発明が解決しようとする課題】
【０００５】
ところが、建物に張り巡らすガイドＧ１、Ｇ２のコストが高くつくという問題があった。そこで、本発明はかかる従来技術の問題に鑑みなされたものであって、簡単且つ安価なコストで緑化推進できる竪樋利用の緑化構造と緑化方法を提供することを目的とする。
【課題を解決するための手段】
【０００６】
請求項１の発明は、植物を這わせるために竪樋の下部から上方に筒状に格子ネットを巻き付ける竪樋利用の緑化構造を特徴としている。
【０００７】
請求項２の発明は、請求項１に記載の竪樋利用の緑化構造であって、前記竪樋の下部に排水管カバーを備え、この排水管カバーの外周に植物用の土壌溝が形成されることを特徴としている。
【０００８】
請求項３の発明は、請求項２に記載の竪樋利用の緑化構造であって、前記土壌溝に水抜き口を備えることを特徴としている。
【０００９】
請求項４の発明は、請求項１乃至請求項３のいずれか一項に記載の竪樋利用の緑化構造であって、前記筒状の格子ネットは長手方向に切れ目を持ち、この切れ目の対向する一対の縁部を係止する爪部を前記竪樋を支える控え金具と前記排水管カバーに備えることを特徴としている。
【００１０】
請求項５の発明は、堅樋利用の緑化方法であって、植物を這わせるために竪樋の下端部から上方に筒状の格子ネットを巻き付ける一方、前記竪樋の下端部に備える排水管カバーの外周に植物用の土壌溝が形成され、前記筒状の格子ネットは長手方向に切れ目を持ち、この切れ目の対向する一対の縁部を係止する爪部を前記竪樋を支える控え金具と前記排水管カバーに備えることを特徴としている。
【発明の効果】
【００１１】
請求項１記載の発明によれば、植物を這わせるために竪樋の下部から上方に筒状に格子ネットを巻き付けるだけで竪樋利用の緑化構造が実施できるので、簡単且つ安価なコストで緑化推進できる。
【００１２】
請求項２記載の発明によれば、前記竪樋の下部に排水管カバーを備え、この排水管カバーの外周に植物用の土壌溝が形成されるので、植物が地植できない場所でもプランターとして使用できるので請求項１の効果がさらに向上する。
【００１３】
請求項３記載の発明によれば、前記土壌溝に水抜き口を備えるので根腐れ防止できて、植物が地植と同等の状況で育つことができるので請求項１の効果がさらに向上する。
【００１４】
請求項４記載の発明によれば、前記筒状の格子ネットは長手方向に切れ目を持ち、この切れ目の対向する一対の縁部を係止する爪部を前記竪樋を支える控え金具と前記排水管カバーに備えるので、前記竪樋への格子ネットの装着が迅速で容易且つ確実にできて請求項１の効果がさらに向上する。
【００１５】
請求項５記載の発明によれば、植物を這わせるために竪樋の下端部から上方に筒状の格子ネットを巻き付ける一方、前記竪樋の下端部に備える排水管カバーの外周に植物用の土壌溝が形成され、前記筒状の格子ネットは長手方向に切れ目を持ち、この切れ目の対向する一対の縁部を係止する爪部を前記竪樋を支える控え金具と前記排水管カバーに備えるので、簡単且つ安価なコストで緑化推進できる。
【発明を実施するための最良の形態】
【００１６】
＜本発明の第１の実施形態＞
以下に、本発明の第１の実施形態を図１〜図４に基づいて説明する。
＜竪樋利用の緑化構造の構成＞
【００１７】
図１、図２、図３、図４に示すように、本発明の竪樋利用の緑化構造１１はツタ等のつる植物を這わせるために竪樋１２の下部１２ａから上方に高さＨで筒状に格子ネット１４を巻き付ける構造である。竪樋１２の下部１２ａには地面Ｐに埋設された排水管１３と連結する排水管カバー１５を備え、この排水管カバー１５に竪樋１２が挿入連結される。
【００１８】
より詳しくは、排水管カバー１５の構造は、本体部１６とカバー部１７から成る同心円形二重管が水平状のリング部１８で固着形成される。いま、本体部１６の外直径Ｓ１、カバー部１７の内直径Ｓ２、本体部１６とカバー部１７の間隔Ｓ３である。本体部１６の高さＴ１、カバー部１７の高さＴ２とするとＴ１＞Ｔ２で形成され、本体部１６の下部１６ａが地面Ｐから突出する排水管１３の上端部１３ａに挿入され、カバー部１７の下端部１７ａが地面Ｐに保持される。
【００１９】
排水管カバー１５の本体部１６とカバー部１７とリング部１８で形成される上部の隙間が植物用の土壌溝１９として使用される。土壌溝１９に水抜き口１９ａを備える。なお、本体部１６における土壌溝１９近傍に一対の９０度フック形状の爪部Ｑを互いが内向くように備える。
【００２０】
地面Ｐから略高さＨの壁面Ｗに、竪樋１２を支える控え金具２０が設けられる。控え金具２０は一対の帯状の固定部２０ａと押え部２０ｂで形成され、固定部２０ａと押え部２０ｂはヒンジ２０ｃと係止部２０ｄによって開閉自在で、控え金具２０が閉じた状態で外直径Ｓ４の竪樋１２を安定して係止することができる。控え金具２０は固定部２０ａに連結する固着部２０ｅを介して壁面Ｗに固定される。
【００２１】
固定部２０ａの外側面に一対の９０度フック状の爪部Ｑが固着部２０ｅを挟んで互いが内向くように形成される。なお、控え金具２０の固定部２０ａに設けられる一対の爪部Ｑと排水管カバー１５に設けられる一対の爪部Ｑはそれぞれ同一垂直線上に形成される。
【００２２】
ここで、高さ（長さ）Ｈの筒状の格子ネット１４は長手方向に切れ目１４ａを持つ縦割り状で、この切れ目１４ａの対向する一対の縁部１４ｂを控え金具２０と排水管カバー１５の一対の爪部Ｑにそれぞれ係止して取付ける。
【００２３】
排水管カバー１５、控え金具２０を構成する各部材は軽量化や耐腐食性を考慮して例えば硬質塩化ビニール樹脂等の合成樹脂が好ましいが、薄板のステンレス材や亜鉛鍍金鋼板でもよい。また、各部材間及び竪樋１２、排水管１３との接合部には接着剤や充填コーキング材等が適宜必要に応じて用いられる。
＜竪樋利用の緑化構造の作用＞
【００２４】
排水管カバー１５の本体部１６とカバー部１７とリング部１８で形成される上部の隙間が植物用の土壌溝１９として使用できるので、土壌溝１９に腐葉土等を入れて植物を植えて潅水するだけ簡単且つ安価なコストで緑化推進できる。土壌溝１９に水抜き口１９ａを備えるので降雨量等が多い場合でも水捌けが良いので根腐れすることがない。形成される水抜き口１９ａの数は状況に応じて決められる。
【００２５】
控え金具２０の固定部２０ａと排水管カバー１５にそれぞれ一対の爪部Ｑが設けられるので、長手方向(縦割り)に切れ目１４ａを持つ格子ネット１４は容易に爪部Ｑによって係止できるので格子ネット１４は簡単に筒状に形成できるので安価なコストで緑化推進できる。植物はアイビー等の蔓性植物が好ましいが、一般の植物でも格子ネット１４に必要に応じて紐等で保持すれば使用可能である。
【００２６】
＜本発明の第２の実施形態＞
以下に、本発明の第２の実施形態を説明するが、図１〜図４については第１の実施形態と同一の構成であるためその説明および図面を省略する。
【００２７】
図５に示すように、格子ネット１４は長手方向(縦割り)に切れ目１４ａを持ち、この切れ目１４ａの対向する一対の縁部１４ｂを針金２２で結んで格子ネット１４を筒状に形成することもできる。なお、控え金具２０の固定部２０ａと排水管カバー１５のそれぞれ一対の爪部Ｑとともに、この針金２２で結ぶことを用いると格子ネット１４をさらに確実な筒状に形成できる。
【００２８】
以上、本発明の実施例を図面に基づいて説明したが、具体的な構成はこの実施例に限られるものではなく本発明の要旨を逸脱しない範囲の設計変更等があっても本発明に含まれる。
【００２９】
例えば、一対の９０度フック状の爪部Ｑは互いが外向くように形成しても構わない。この場合、格子ネット１４の一対の縁部１４ｂは重なるので格子ネット１４の切れ目１４ａを確実に覆うことができる。植物の種類によっては土壌溝１９を用いるのみで格子ネット１４無しで使用することもできる。排水管カバー１５は本体部１６の断面形状を矩形にすることで矩形断面の竪樋１２にも適用できる。土壌溝１９のカバー部１７の平面形状は円形に限らず矩形形状でもよい。針金２２の代わりに紐等を使用しても良い。
【図面の簡単な説明】
【００３０】
【図１】本発明の第１の実施形態における、植物を這わせるため竪樋１２の下部１２ａから上方に筒状に格子ネット１４を巻き付けた竪樋利用の緑化構造１１の状態を示す斜視図である。
【図２】本発明の第１の実施形態における、竪樋１２と排水管カバー１５の組付け状態を示す斜視図である。
【図３】本発明の第１の実施形態における、（ａ）は図１のＡ−詳細断面図、（ｂ）は図３（ａ）のＢ−Ｂ矢視図である。
【図４】本発明の第１の実施形態における、（ａ）は竪樋１２用の控え金具２０と格子ネット１４の状態を示す斜視図、（ｂ）は図３（ａ）のＣ−Ｃ矢視図である。
【図５】本発明の第２の実施形態における、格子ネット１４の対向する一対の縁部１４ｂを針金２２等で結んで格子ネット１４を筒状に形成する状態を示す断面図である。
【図６】従来例における、つる植物のガイドＧ１、Ｇ２を家屋の壁９に設置した状態を示す緑化構造の状態を示す斜視図である。
【符号の説明】
【００３１】
１１  緑化構造
１２  竪樋
１２ａ  下部
１４  格子ネット
１４ａ  切れ目
１４ｂ  縁部
１５  排水管カバー
１６  本体部
１７  カバー部
１８  リング部
１９  土壌溝
２０  控え金具
Ｑ  爪部
【図１】
2010051181.tif 000003
【図２】
2010051181.tif 000004
【図３】
2010051181.tif 000005
【図４】
2010051181.tif 000006
【図５】
2010051181.tif 000007
【図６】
2010051181.tif 000008